(57)【要約】【課題】施工に用いる建築部品を各工程ごとに集計し、各工程の日数を算出することを目的とする。【解決手段】予め定められた部品を用いて建築物の設計を行うコンピュータ３における設計方法であって、ユーザに、建築物の設計に用いる部品を選択させる部品選択段階と、予め定められた工程情報を、部品選択段階において選択された部品と関連付ける工程情報関連付け段階とを有することにより上記課題を解決する。【選択図】　　　　図１
2004118391.tif 000002
【特許請求の範囲】
【請求項１】
予め定められた部品を用いて建築物の設計を行うコンピュータにおける設計方法であって、
ユーザに、建築物の設計に用いる部品を選択させる部品選択段階と、
予め定められた工程情報を、前記部品選択段階において選択された部品と関連付ける工程情報関連付け段階と
を有することを特徴とする設計方法。
【請求項２】
前記予め定められた工程情報を変更する工程情報変更段階を更に有することを特徴とする請求項１記載の設計方法。
【請求項３】
前記工程情報関連付け段階の後に、前記選択された部品を親部品とし、前記親部品を構成する子部品に、前記親部品の工程情報を引き継いで展開する部品展開段階を更に有することを特徴とする請求項１又は２記載の設計方法。
【請求項４】
前記部品展開段階において、前記親部品に工程情報が設定されていない場合は、予め定められた工程情報を、前記子部品に設定することを特徴とする請求項３記載の設計方法。
【請求項５】
前記部品展開段階の後に、各部品に設定された工程情報を基に、各工程ごとの部品の数量を算出する部品数量算出段階と、
予め定められた工程情報から、各工程ごとの所要日数を算出する所要日数算出段階と
を有することを特徴とする請求項３又は４記載の設計方法。
【請求項６】
前記所要日数算出段階において、前記部品に所要日数が設定されている場合は、各部品に設定されている所要日数と、前記部品数量算出段階において算出した各工程ごとの部品の数量とを基に、各工程ごとの所要日数を算出することを特徴とする請求項５記載の設計方法。
【請求項７】
前記所要日数算出段階の後に、算出された工程別の所要日数を基に、各工程別の実際の施工予定日を算定する施工予定日算定手段と、
前記施工予定日算定手段において算定された各工程別の実際の施工予定日を基に、各工程別に集計した部品の発注を行う発注段階と
を更に有することを特徴とする請求項５又は６記載の設計方法。
【請求項８】
前記工程情報関連付け段階の後に、部品に設定されている工程情報から工程ごとの表示時間を割り出し、工程順に部品を組み立てるアニメーションを画面に表示するアニメーション表示段階を更に有することを特徴とする請求項１記載の設計方法。
【請求項９】
予め定められた部品を用いて建築物の設計を行う設計装置であって、
ユーザに、建築物の設計に用いる部品を選択させる部品選択手段と、
予め定められた工程情報を、前記部品選択手段において選択された部品と関連付ける工程情報関連付け手段と
を有することを特徴とする設計装置。
【請求項１０】
ユーザに、建築物の設計に用いる部品を選択させる部品選択手順と、
予め定められた工程情報を、前記部品選択手順において選択された部品と関連付ける工程情報関連付け手順と
をコンピュータに実行させるための設計プログラム。
【発明の詳細な説明】
【０００１】
【発明の属する技術分野】
本発明は、設計方法、設計装置及び設計プログラムに係り、特に予め定められた部品を用いて建築物の設計を行う設計方法、設計装置及び設計プログラムに関する。
【０００２】
【従来の技術】
近年、住宅などの建築設計を行う場合は、ＣＡＤ（Ｃｏｍｐｕｔｅｒ　Ａｉｄｅｄ　Ｄｅｓｉｇｎ）を用いて行うことが一般的である。
【０００３】
例えば、ＣＡＤを用いて、住宅の設計を行う設計担当者は、予め定められている住宅設計用の部品を画面に配置し、設計図を作成していた。また、設計担当者は、作成した設計図を基に、住宅の建築に必要な建築部品を算出していた。
【０００４】
特許文献１には、設計図を基に建築部品情報を抽出して、各建築部品の数量を求める方法が記載されている。
【０００５】
一方、建築部品の発注を行う担当者は、設計段階において算出された建築部品の数量を基に、建築部品の発注を行っていた。
【０００６】
【特許文献１】
特開２００１−３５７０７５号公報
【０００７】
【発明が解決しようとする課題】
しかしながら、従来の方法では、作成した設計図から、建築部品の工程情報を抽出することができないため、各工程ごとに建築部品を集計することができなかった。また、このため、建築部品から各工程の日数を算出し、各工程ごとに算出した建築部品を、各工程ごとに適切な日時に発注することもできなかった。
【０００８】
したがって、建築部品の発注担当者は建築部品の発注時期を、勘や経験に依存して行わなければならない問題があった。
【０００９】
本発明は、上記の点に鑑みなされたもので、施工に用いる建築部品を各工程ごとに集計し、各工程の日数を算出することができる設計方法、設計装置及び設計プログラムを提供することを目的とする。
【００１０】
【課題を解決するための手段】
そこで、上記問題を解決するため、請求項１記載の発明は、予め定められた部品を用いて建築物の設計を行うコンピュータにおける設計方法であって、ユーザに、建築物の設計に用いる部品を選択させる部品選択段階と、予め定められた工程情報を、前記部品選択段階において選択された部品と関連付ける工程情報関連付け段階とを有することを特徴とする。
【００１１】
請求項１記載の発明によれば、工程情報を関連付けた部品を用いて建築物の設計を行うことができる。
【００１２】
また、請求項２記載の発明は、前記予め定められた工程情報を変更する工程情報変更段階を更に有することを特徴とする。
【００１３】
請求項２記載の発明によれば、予め定められた工程情報を変更することができる。
【００１４】
また、請求項３記載の発明は、前記工程情報関連付け段階の後に、前記選択された部品を親部品とし、前記親部品を、前記親部品を構成する子部品に、前記親部品の工程情報を引き継いで展開する部品展開段階を更に有することを特徴とする。
【００１５】
請求項３記載の発明によれば、親部品から子部品へと工程情報を引きついで、部品展開を行うことができる。
【００１６】
また、請求項４記載の発明は、前記親部品に工程情報が設定されていない場合は、予め定められた工程情報を、前記子部品に設定することを特徴とする。
【００１７】
請求項４記載の発明によれば、親部品に工程情報が設定されていない場合でも、部品展開の際に、子部品に工程情報を設定することができる。
【００１８】
また、請求項５記載の発明は、前記部品展開段階の後に、各部品に設定された工程情報を基に、各工程ごとの部品の数量を算出する部品数量算出段階と、予め定められた工程情報から、各工程ごとの所要日数を算出する所要日数算出段階とを有することを特徴とする。
【００１９】
請求項５記載の発明によれば、各工程ごとに部品の数量を算出して、標準の工程情報から各工程ごとの所要日数を算出することができる。
【００２０】
また、請求項６記載の発明は、前記所要日数算出段階において、前記部品に所要日数が設定されている場合は、各部品に設定されている所要日数と、前記部品数量算出段階において算出した各工程ごとの部品の数量とを基に、各工程ごとの所要日数を算出することを特徴とする。
【００２１】
請求項６記載の発明によれば、部品に設定された所要日数と、各工程ごとの部品の数量とを基に、各工程ごとの所要日数を算出することができる。
【００２２】
請求項７記載の発明は、前記所要日数算出段階の後に、算出された工程別の所要日数を基に、各工程別の実際の施工予定日を算定する施工予定日算定手段と、前記施工予定日算定手段において算定された各工程別の実際の施工予定日を基に、各工程別に集計した部品の発注を行う発注段階とを更に有することを特徴とする。
【００２３】
請求項７記載の発明によれば、工程ごとの施工予定日を算定して、実際の施工予定日に合わせて適切な部品の発注を行うことができる。
【００２４】
また、請求項８記載の発明は、前記工程情報関連付け段階の後に、部品に設定されている工程情報から工程ごとの表示時間を割り出し、工程順に部品を組み立てるアニメーションを画面に表示するアニメーション表示段階を更に有することを特徴とする。
【００２５】
請求項８記載の発明によれば、工事現場での施工をコンピュータ上でシミュレーションし、設計に問題がないかどうかを確認することができる。
【００２６】
また、請求項９記載の発明は、予め定められた部品を用いて建築物の設計を行う設計装置であって、ユーザに、建築物の設計に用いる部品を選択させる部品選択手段と、予め定められた工程情報を、前記部品選択手段において選択された部品と関連付ける工程情報関連付け手段とを有することを特徴とする。
【００２７】
請求項９記載の発明によれば、工程情報を関連付けた部品を用いて建築物の設計を行うことができる設計装置を提供することができる。
【００２８】
また、請求項１０記載の発明は、ユーザに、建築物の設計に用いる部品を選択させる部品選択手順と、予め定められた工程情報を、前記部品選択手順において選択された部品と関連付ける工程情報関連付け手順とをコンピュータに実行させるための設計プログラムであることを特徴とする。
【００２９】
請求項１０記載の発明によれば、工程情報を関連付けた部品を用いて建築物の設計を行うプログラムを提供することができる。
【００３０】
【発明の実施の形態】
以下、本発明の実施の形態について図面に基づいて説明する。
【００３１】
図１は、本発明の実施の形態における設計装置１の一例の全体構成を示す。図１の構成図では、説明に必要な構成を表し、説明に必要の無い構成を省略してある。以下の図においても同様である。
【００３２】
図１に示されるように、設計装置１は、ディスプレイ２と、コンピュータ３と、キーボード４と、マウス５とにより構成されている。
【００３３】
ディスプレイ２は、ユーザの入力によって描画された設計図面などを表示する。コンピュータ３は、設計装置１全体の制御を行っている。また、キーボード４及びマウス５は、各種操作信号をコンピュータ３に入力する。
【００３４】
以下、設計装置１のハードウェア構成を、図２を用いて説明する。図２は、設計装置の一例のハードウェア構成図である。
【００３５】
図２に示されるハードウェア構成は、それぞれバスＢで相互に接続されている入力装置１０と、表示装置１１と、ドライブ装置１２と、記録媒体１３と、補助記憶装置１４と、メモリ装置１５と、演算処理装置１６と、インターフェース装置１７と、データベース（以下、ＤＢという）１８とから構成されている。
【００３６】
入力装置１０は、設計装置１の利用者が操作するキーボード４及びマウス５などで構成され、コンピュータ３に各種操作信号を入力するために用いられる。
【００３７】
表示装置１１は、設計装置１の利用者が操作するディスプレイ２などで構成され、ユーザに対する設計のための部品を表示したり、ユーザによって設計された設計図などを表示する。
【００３８】
インターフェース装置１７は、コンピュータ３をネットワークに接続するためのインターフェースである。
【００３９】
予め定められた部品を用いて設計を行う設計プログラムは、例えばＣＤ−ＲＯＭなどの記録媒体１３によってコンピュータ３に提供されるか、ネットワークを通じてダウンロードされる。記録媒体１３は、ドライブ装置１２にセットされ、データやプログラムが記録媒体１３からドライブ装置１２を介して補助記憶装置１４にインストールされる。
【００４０】
補助記憶装置１４は、データや設計プログラムを格納すると共に、必要なファイルなどを格納する。メモリ装置１５は、コンピュータの起動時に補助記憶装置１４から設計プログラムを読み出して格納する。演算処理装置１６は、メモリ装置１５に読み出され、格納された設計プログラムに従って処理を実行する。なお、以下においては、設計プログラムが処理を行うものとして説明をする。
【００４１】
ＤＢ１８は、設計に必要な情報、例えば後述する部品情報ＤＢ３０や、部品展開情報ＤＢ３１、標準工程情報ＤＢ３２、実工程情報ＤＢ３３などを格納する。
【００４２】
以下、設計図面の作図を行う設計図面作図処理の一例を、図３を用いて説明する。図３は、設計図面作図処理の一例のフローチャートである。
【００４３】
ステップＳ１０では、設計プログラムが、ユーザによって指定された入力部品の情報を取得する。例えば、ユーザが、家の設計を行おうとして、予め定義されている家の部品の一つである「柱」を部品選択エリア（図示せず）などから選択した場合、設計プログラムは、ユーザによって部品「柱」が選択された旨の情報を取得する。
【００４４】
ステップＳ１０に続いて、ステップＳ１１に進み、設計プログラムは、部品に予めデェフォルトで設定された工事区分、工程番号、詳細工程番号、施工順位などの工程情報を後述する部品情報ＤＢ３０から取得する。ただし、施工順位は、部品の入力順に部品に設定するようにしてもよい。
【００４５】
ステップＳ１１に続いて、ステップＳ１２に進み、設計プログラムは、ユーザが、ステップＳ１０において選択した部品に対して工程情報を入力したかどうかを判定する。入力したと判定すると（ステップＳ１２においてＹＥＳ）、ステップＳ１３に進み、入力されていないと判定すると（ステップＳ１２においてＮＯ）、ステップＳ１４に進む。例えば、ユーザが部品を選択して、属性設定エリア（図示せず）などで選択した部品に工程情報を入力した場合、設計プログラムは、部品に対して工程情報が入力されたと判定する。
【００４６】
ステップＳ１３では、ユーザによって入力された工程情報を、設計プログラムが取得する。例えば、ユーザは、ステップＳ１０において家の部品の一つである「柱」を選択した後、前記属性設定エリアにおいて、部品「柱」の属性の一つである工事区分、工程番号、詳細工程番号、施工順位などの工程情報を入力する。設計プログラムは、ユーザによって、入力された工事区分、工程番号、詳細工程番号、施工順位などの工程情報を取得する。
【００４７】
ステップＳ１４では、設計プログラムは、部品の位置座標情報を取得する。例えば、ユーザが、図形入力領域（図示せず）において、ステップＳ１０において選択し、ステップＳ１３で工程情報を設定した部品の配置を行った場合、設計プログラムは、ユーザが配置した部品の座標の情報を取得する。
【００４８】
ステップＳ１４に続いて、ステップＳ１５に進み、設計プログラムは、ステップＳ１０において取得した部品の情報や、ステップＳ１３において取得した部品の工程情報や、ステップＳ１４において取得した部品の位置座標などを後述する部品情報ＤＢ３０に登録した後、部品の作画を行う。
【００４９】
上述した如く、設計の段階において、部品に工事区分、工程番号、詳細工程番号、施工順位などの工程情報を設定することができるため、設計時点で、部品の工程別の表示を行い、各工程別に施工に必要な部品を確認することができる。
【００５０】
図４に、部品情報ＤＢ３０の一例を説明するための図を示す。部品情報ＤＢ３０は、部品コード、部品ＩＤ、開始日、終了日、工事区分、工程番号、詳細工程番号、施工順位、座標情報などを項目名として含む。
【００５１】
部品コードには、設計図面の作図に用いた各部品の識別情報が格納される。部品ＩＤには、部品の識別子が格納される。
【００５２】
また、開始日、終了日には、各部品の施工予定開始日及び施工予定終了日が格納される。工事区分には、部品が用いられる工事区分が格納される。
【００５３】
また、工程番号には、部品が用いられる工程の番号が格納される。詳細工程番号は、各工程内での、より詳細な工程の番号が格納される。
【００５４】
また、施工順位は、部品の施工順位が格納される。座標情報には、設計図面の作図に用いた各部品の座標が格納される。
【００５５】
以下、部品展開を行って、設計に用いた部品を親部品として、親部品を構成する子部品へと、工程情報を引き継いで展開する部品展開処理の一例を、図５を用いて説明する。図５は、部品展開処理の一例のフローチャートである。
【００５６】
ステップＳ２０では、設計プログラムが、部品展開情報ＤＢ３１から、部品展開に係る情報を読み込む。
【００５７】
図６に、部品展開情報ＤＢ３１を説明するための図を示す。部品展開情報ＤＢ３１は、親部品コードと、子部品コードと、展開方法と、展開プログラム名と、子部品工事区分と、子部品工程番号と、子部品詳細工程番号と、子部品施工順位と、子部品発注方法と、子部品発生数とを項目名として含む。
【００５８】
親部品コードには、親部品の識別情報が格納される。子部品コードには、親に付随して生成される子部品の識別情報が格納される。
【００５９】
展開方法には、部品展開を行う方法が格納される。展開プログラム名には、部品展開を行うプログラム名が格納される。
【００６０】
子部品工事区分には、子部品が用いられる工事区分の識別情報が格納される。子部品工程番号には、子部品が用いられる工程の番号が格納される。
【００６１】
子部品詳細工程番号には、子部品が用いられる各工程内での、より詳細な工程の番号が格納される。子部品施工順位には、子部品の施工順位が格納される。
【００６２】
子部品発生方法には、子部品の発生方法が格納される。子部品発生数には、子部品を発生させる数量が格納される。
【００６３】
ステップＳ２０に続いて、ステップＳ２１に進み、設計プログラムは、部品展開情報ＤＢ３１より取得した部品展開を行う部品展開プログラムに、対象となる親部品の部品展開を行わせる。部品展開プログラムは、部品展開情報ＤＢ３１より取得した親の部品コードを基に、部品情報ＤＢ３０より、対象となる親部品の情報を取得する。
【００６４】
ステップＳ２１に続いて、ステップＳ２２に進み、部品展開プログラムは、ステップＳ２１において取得した親部品の情報の中に、親部品の工程情報が含まれているかどうかを判定する。親部品の工程情報が含まれていると判定すると（ステップＳ２２においてＹＥＳ）、ステップＳ２３に進み、含まれていないと判定すると（ステップＳ２２においてＮＯ）、ステップＳ２４に進む。
【００６５】
ステップＳ２３では、部品展開プログラムは、親部品の工程情報を子部品の設定し、処理を終了する。
【００６６】
ステップＳ２４では、部品展開プログラムは、部品展開情報ＤＢ３１に格納されている子部品の工程情報を取得して、設定し、処理を終了する。
【００６７】
一般のＣＡＤの部品展開においては、同じ部品であれば、違う工程の部品であっても、同じものとして部品展開される。しかしながら、本発明の設計装置１の部品展開においては、設計段階において各部品に対して、工程情報を設定できるため、同じ部品であっても、異なる工程の部品であれば、異なるものとして部品展開される。
【００６８】
以下、親部品及び／又は子部品に設定された工程情報を基に、工程ごとの施工スケジュールを作成して、部品を発注するまでの一例の処理を、図７を用いて説明する。図７は、施工スケジュール作成、部品発注処理の一例のフローチャートである。
【００６９】
ステップＳ３０では、設計プログラムが、部品情報ＤＢ３０より、設計の際に用いられた部品の数量の情報などを、工程別に取得して、集計する。
【００７０】
ステップＳ３０に続いて、ステップＳ３１に進み、設計プログラムは、ステップＳ３０において集計した工程別の各部品に部品単位の施工の所要日数が設定されている場合は、集計した数量から各工程の施工の所要日数などを算出する。また、設計プログラムは、ステップＳ３０において集計した工程別の部品の中に部品単位の施工の所要日数が設定されていない部品がある場合は、該部品の関係する工程の標準所要日数などを、後述する標準工程情報ＤＢ３２より、取得する。
【００７１】
ステップＳ３１に続いて、ステップＳ３２に進み、設計プログラムは、ステップＳ３０において算出した各工程ごとの所要日数から、実際の工事の施工日数を算定して、後述する実工程情報ＤＢ３３に格納する。また、設計プログラムは、実工程情報ＤＢ３３に格納した実際の工程の開始日や所要日数の情報を基に、部品情報ＤＢ３０に格納されている各部品の開始日及び終了日の値を書き換える。
【００７２】
ステップＳ３２に続いて、ステップＳ３３に進み、設計プログラムは、ステップＳ３２において算定した実際の工事の施工日数を基に、各工程ごとの部品を発注する。
【００７３】
工程の実際の工事開始日がわかれば、発注した部品の納品までのラグタイムを考慮することにより、時間間隔に無駄のない工程単位ごとの部品の発注が可能となる。
【００７４】
図８に、標準工程情報ＤＢ３２の一例を説明するための図を示す。標準工程情報ＤＢ３２は、標準開始日、標準終了日、工程ＩＤ，工事区分、工程番号、詳細工程番号、前工程ＩＤ、ラグタイム・リードタイム、所要日数区分、所要日数などを項目名として含む。
【００７５】
標準開始日には、工程の標準の開始日が登録されており、標準終了日には、工程の標準の終了日が格納される。
【００７６】
工程ＩＤには、各工程に個別に付された識別子が格納される。工事区分には、部品が用いられる工事区分が格納される。
【００７７】
工程番号には、工程の番号が格納される。詳細工程番号には、各工程内での、より詳細な工程の番号が格納される。
【００７８】
前工程ＩＤには、本工程の前の工程の識別子が格納される。ラグタイム・リードタイムには、本工程の前の工程へのラグタイムと、リードタイムとが格納される。
【００７９】
所要日数区分には、工程の日数と、詳細工程の日数と、部品単位の日数とが格納される。所要日数には、工程の所要日数が格納される。
【００８０】
図９に、実工程情報ＤＢ３３の一例を説明するための図を示す。実工程情報ＤＢ３３は、開始日と、終了日と、工程ＩＤと、工事区分と、工程番号と、詳細工程番号と、所要日数区分と、所要日数とを項目名として含む。
【００８１】
開始日には、各工程の実際の工事の開始日が格納される。終了日には、各工程の実際の工事の終了日が格納される。
【００８２】
工程ＩＤには、各工程に個別に付された識別子が格納される。工事区分には各工程の工事区分が格納される。
【００８３】
工程番号には、各工程の番号が格納される。詳細工程番号には、各工程内の、より詳細な工程の番号が格納される。
【００８４】
所要日数区分には、工程の日数と、詳細工程の日数と、部品単位の日数とが格納される。所要日数には、工程の所要日数が格納される。
【００８５】
以下、部品の組み立てを行うアニメーションを表示する処理について図１０を用いて説明する。各部品には、工程情報又は工程情報から得られる各部品の施工開始日付が設定されているため、設計プログラムは、部品の組み立てをアニメーションで表示することができる。
【００８６】
図１０は、部品の組み立て処理をアニメーション表示させる一例のフローチャートである。
【００８７】
ステップＳ４０では、設計プログラムは、部品情報ＤＢ３０から部品の情報を取得する。例えば、設計プログラムは、ある住宅の建築に係わる全ての部品の情報を部品情報ＤＢ３０より取得する。
【００８８】
ステップＳ４０に続いて、ステップＳ４１に進み、設計プログラムは、ステップＳ４０で部品情報ＤＢ３０より取得した部品を、部品に設定されてある工程情報順又は工程情報などから得られる各部品の施工開始日付順に並べる。
【００８９】
ステップＳ４１に続いて、ステップＳ４２に進み、設計プログラムは、ステップＳ４０において取得した部品の工事期間の情報から、アニメーションで表示する時間を算出する。例えば、工程１の実際の工事期間が２日、工程２の実際の工事期間が５日、工程３の工事期間が１０日などと設定されており、全体工程が２００日であった場合、設計プログラムは、全体工程２００日を２０秒のアニメーションで表示するなどとして、工程１の表示時間を０．２秒、工程２の表示時間を０．５秒、工程３の表示時間を１秒などと算出する。
【００９０】
ステップＳ４２に続いて、ステップＳ４３に進み、設計プログラムは、ステップＳ４２で算出した表示時間に基づいて、ステップＳ４２において並べた順番で工程別又は部品別にアニメーションを画面に表示する。
【００９１】
図１１に、アニメーション表示の一例を説明するための図を示す。図１１に示すが如く、各部品には、工程情報又は工程情報などから得られる各部品の施工開始日が設定されているため、設計プログラムは、工事現場での状況をコンピュータ上に再現させることができる。したがって、もし設計段階において問題があった場合は、部品の発注及び実際の工事の作業前に問題を把握し、修正することができる。
【００９２】
【発明の効果】
上述の如く、本発明によれば、施工に用いる部品を各工程ごとに集計し、各工程の日数を算出することができる設計方法、設計装置及び設計プログラムを提供することができる。
【００９３】
【図面の簡単な説明】
【図１】本発明の実施の形態のおける設計装置の一例の全体構成図である。
【図２】設計装置の一例のハードウェア構成図である。
【図３】図面作図処理の一例のフローチャート。
【図４】部品情報ＤＢの一例を説明するための図である。
【図５】部品展開処理の一例のフローチャート。
【図６】部品展開情報ＤＢを説明するための図である。
【図７】実施工予定日算定、部品発注処理一例のフローチャート。
【図８】標準工程情報ＤＢの一例を説明するための図である。
【図９】実工程情報ＤＢの一例を説明するための図である。
【図１０】部品の組み立て処理をアニメーション表示させる一例のフローチャート。
【図１１】アニメーションの表示の一例を説明するための図である。
【符号の説明】
１　　設計装置
２　　ディスプレイ
３　　コンピュータ
４　　キーボード
５　　マウス
１０　　入力装置
１１　　表示装置
１２　　ドライブ装置
１３　　記録媒体
１４　　補助記憶装置
１５　　メモリ装置
１６　　演算処理装置
１７　　インターフェース装置
１８　　データベース（ＤＢ）
３０　　部品情報ＤＢ
３１　　部品展開情報ＤＢ
３２　　標準工程情報ＤＢ
３３　　実工程情報ＤＢ
【図１】
2004118391.tif 000003
【図２】
2004118391.tif 000004
【図３】
2004118391.tif 000005
【図４】
2004118391.tif 000006
【図５】
2004118391.tif 000007
【図６】
2004118391.tif 000008
【図７】
2004118391.tif 000009
【図８】
2004118391.tif 000010
【図９】
2004118391.tif 000011
【図１０】
2004118391.tif 000012
【図１１】
2004118391.tif 000013